(57)【要約】【課題】配光制御性、輝度ムラ、加工性に優れた複数の円錐状プリズムから形成されたプリズム群を形成した導光パネルを提供することである。【解決手段】導光パネルは、複数の面を有し、光を透過可能な導光板１００と、導光板１００の面のうちの第１面１１０から導光板１００の内部へ光を照射するＬＥＤ光源１２０と、を備え、導光板１００の第１面１１０とは異なる第２面１３０には、第２面１３０の表面から導光板１００の内部に向かって、直径が徐々に減少する曲面２００で形成されたプリズム１５０が、互いに隣り合う他のプリズム１５０と接するか、若しくは互いに隣り合う他のプリズム１５０の一部分と重なって、複数並べられて形成されたプリズム群１４０が形成され、更に、プリズム群１４０が第２面１３０に複数形成されたことを特徴とする。【選択図】図１
2019135700.tif 000002
【特許請求の範囲】
【請求項１】
複数の面を有し、光を透過可能な導光板と、
前記導光板の前記面のうちの第１面から前記導光板の内部へ光を照射する光源と、を備え、
前記導光板の前記第１面とは異なる第２面には、前記第２面の表面から前記導光板の内部に向かって、直径が徐々に減少する曲面で形成されたプリズムが、互いに隣り合う他のプリズムと接するか、若しくは互いに隣り合う他のプリズムの一部分と重なって、複数並べられて形成されたプリズム群が形成され、
更に、前記プリズム群が、前記第２面に複数形成されたことを特徴とする、導光パネル。
【請求項２】
前記プリズム群が、互いに形状の異なる複数の前記プリズムを含むことを特徴とする、請求項１に記載された導光パネル。
【請求項３】
前記プリズム群を構成する複数の前記プリズムの形状がすべて同一であることを特徴とする、請求項１に記載された導光パネル。
【請求項４】
前記プリズム群を構成するそれぞれの前記プリズムの前記表面上における形状が円であって、それぞれの前記円の中心が１つの直線上に並んでいることを特徴とする、請求項１乃至請求項３のいずれか一項に記載された導光パネル。
【請求項５】
前記プリズム群を構成するそれぞれの前記プリズムの前記表面上における形状が円であって、それぞれの前記円の中心が１つの曲線上に並んでいることを特徴とする、請求項１乃至請求項４のいずれか一項に記載された導光パネル。
【請求項６】
前記プリズム群を構成するそれぞれの前記プリズムの前記表面上における形状が円であって、前記プリズム群の一端の前記プリズムの前記表面上における端辺から、互いに隣り合う複数のプリズムの前記円の中心を通って、前記プリズム群の他端の前記プリズムの前記表面上における端辺までの最大長が、前記プリズム群を構成する前記プリズムの前記第２面の表面における前記直径の２倍より大きいことを特徴とする、請求項１乃至請求項５のいずれか一項に記載された導光パネル。
【請求項７】
前記プリズム群を構成するそれぞれの前記プリズムの前記表面上における形状が円であって、
前記プリズム群を構成する互いに隣り合う複数の前記プリズムの前記円の中心間の距離が、前記プリズムの前記円の直径の１／４よりも大きく、かつ、前記プリズムの前記円の直径の１／２よりも小さいことを特徴とする、請求項１乃至請求項６のいずれか一項に記載された導光パネル。
【請求項８】
前記プリズム群を構成するそれぞれの前記プリズムの前記表面上における形状が円であって、
前記プリズム群を構成する複数の前記プリズムのうち、両端の前記プリズムのそれぞれの前記円の中心を結んだ線が、前記第１面と相対する前記光源から前記導光板へ照射される光の光軸と垂直でないか、又は、平行でないことを特徴とする、請求項１乃至請求項７のいずれか一項に記載された導光パネル。
【請求項９】
前記プリズム群を構成するそれぞれの前記プリズムの前記表面上における形状が円であって、
前記導光板の前記第１面に凹凸が設けられ、
前記プリズム群を構成する複数の前記プリズムのうち、両端の前記プリズムのそれぞれの前記円の中心を結んだ線が、前記第１面と相対する前記光源から前記導光板へ照射される光の光軸と垂直であることを特徴とする、請求項１乃至請求項７のいずれか一項に記載された導光パネル。
【発明の詳細な説明】
【技術分野】
【０００１】
本発明は、ＬＥＤ光源を用いた導光パネルに関する。
【背景技術】
【０００２】
薄型でデザイン性等を重視した面照明器具において、ＬＥＤ光源を用いた導光パネルが用いられている。
【０００３】
図１２は、従来の導光パネルの構成と円錐状プリズムの構造を説明した図である（特許文献１を参照）。図１２（ａ）は従来の導光パネルの構成図である。１０は導光板であり、６面を有する板状のパネルである。２０はプリズムであり、導光板１０の所定の１面に、１個ずつ、複数個配列して形成されている。３０はＬＥＤ素子であり、導光板１０においてプリズムが形成された所定の１面とは異なる他の１面に相対するように複数個が整列配置され、前記他の１面から導光板１０の内部に光を照射する。ＬＥＤ素子３０から導光パネル１０の内部に照射された光は、プリズム２０で反射され、導光板１０のプリズム２０が形成された所定の１面とは反対側の方向に反射光として射出される。
【０００４】
図１２（ｂ）はプリズム２０の構造を説明する図である。プリズム２０は、円錐状プリズムであり、円形の平面を底面とし、底面の端辺から頂点に向けて曲面が形成されている。
【０００５】
図１２（ｃ）は従来の他の導光パネルの構成図である。５０は導光板４０を構成するプリズムである。
【０００６】
図１２（ｄ）はプリズム５０の構造を説明する図である。プリズム５０は、押出状プリズムであり、導光板４０の所定の１面から導光板４０の内部に向けて導光板４０を押し出すことにより形成される。
【先行技術文献】
【特許文献】
【０００７】
【特許文献１】特開２００３−２５５１４０号公報
【発明の概要】
【発明が解決しようとする課題】
【０００８】
しかしながら、円錐状プリズムが導光板１０の所定の１面に、１個ずつ、複数個配列して形成された導光パネルの場合、ミーリング加工、レーザドット加工により、比較的容易に低コストで円錐状プリズムを加工可能であるが、円錐状プリズムの周辺は強い反射光が生じ、隣り合う円錐状プリズムの間では、光量が少なくなるため、導光板１０の全体から射出される光に周期的な強弱が生じてしまう。すなわち、配光制御性が低くなる。
【０００９】
また、押出状プリズムの場合、押出し状プリズムの押出方向に形状の変化がないため、その断面では光が散乱せず、輝度ムラが生じやすい。
【００１０】
更に、加工性に関しても、シェーパー加工などの時間のかかる加工方法を使用する必要がある。
【課題を解決するための手段】
【００１１】
本願発明は、配光制御性、輝度ムラ、加工性に優れた複数の円錐状プリズムから形成されたプリズム群を形成した導光パネルに関する。
【００１２】
本発明に係る導光パネルは、複数の面を有し、光を透過可能な導光板と、導光板の面のうちの第１面から導光板の内部へ光を照射する光源と、を備え、導光板の第１面とは異なる第２面には、第２面の表面から導光板の内部に向かって、直径が徐々に減少する曲面で形成されたプリズムが、互いに隣り合う他のプリズムと接するか、若しくは互いに隣り合う他のプリズムの一部分と重なって、複数並べられて形成されたプリズム群が形成され、更に、プリズム群が、第２面に複数形成されたことを特徴とする。
【発明の効果】
【００１３】
本発明に係る導光パネルは、上記のように構成することで、光源から照射された光が反射する反射体としてのプリズム群は、曲面が連続しているので、その曲面で反射光が乱反射する度合いが強まる。また、乱反射した反射光が重なり合い、導光パネルの縦横方向に並んで見えていた光の強弱が生じにくくなり、輝度ムラが生じにくくなる。
【００１４】
また、プリズム群の連続した曲面で乱反射した光が重なり合って反射光の強度が強まり、そのプリズム群を複数整列して形成することで、反射光の出射面全体の強度が更に強まるため、配光制御性が高まる。
【００１５】
また、従来からの周知の手法によりプリズム群を容易に加工できるため、加工性に優れるという効果を奏する。
【図面の簡単な説明】
【００１６】
【図１】本発明の実施形態１に係る導光パネルを説明した図である。
【図２】本発明の実施形態２及び実施形態３に係る導光パネルを説明した図である。
【図３】本発明の実施形態４に係る導光パネルを説明した図である。
【図４】本発明の実施形態５に係る導光パネルを説明した図である。
【図５】本発明の実施形態６に係る導光パネルを説明した図である。
【図６】本発明の実施形態６に係る導光パネルの配光図と最大光度を計測した図である。
【図７】本発明の実施形態７に係る導光パネルを説明した図である。
【図８】本発明の実施形態７に係る導光パネルの輝度ムラ軽減性と配光制御性を計測した図である。
【図９】本発明の実施形態８に係る導光パネルを説明した図である。
【図１０】本発明の実施形態８に係る導光パネルを説明した図である。
【図１１】本発明の実施形態９に係る導光パネルを説明した図である。
【図１２】従来の導光パネルの構成と円錐状プリズムの構造を説明した図である。
【発明を実施するための形態】
【００１７】
（実施形態１）
（導光パネルの構造）
以下、本発明の実施形態１に係る導光パネルについて説明する。図１は、本発明の実施形態１に係る導光パネルを説明した図である。図１（ａ）は、導光パネルの構成図であり、１００は導光板である。導光板１００は複数の面を有し、その一面である側面（第１面）１１０の近傍には、第１面１１０に相対してＬＥＤ素子１２０が配列されている。導光板１００の内部にはプリズム群１４０が複数形成されている。本発明の導光パネルは、このような導光板１００とＬＥＤ素子１２０により構成されたものである。
【００１８】
ＬＥＤ素子１２０は、第１面１１０に平行して複数個が整列配置され、第１面１１０から導光板１００の内部に光を照射する。ＬＥＤ素子１２０から導光板１００の内部に照射された光は、プリズム群１４０で反射し、プリズム群１４０が形成された導光板１００の上面である第２面１３０とは反対側の下面（図示せず）から外部に向かって反射光として射出される。
【００１９】
光源としてのＬＥＤは、上述したようなＬＥＤ素子１２０だけでなく、例えば、導光管の一端にＬＥＤ素子を設け、導光管を導光板１００の第１面１１０に沿って設ける構成など、多様な光源が適用可能である。
【００２０】
（プリズムの構造）
図１（ｂ）は、導光パネルの第２面に形成されたプリズムを表した斜視図であり、プリズムの構造を説明した図である。図１（ｂ）において、１５０はプリズムであり、導光パネル１００の上面である第２面１３０の表面から導光板１００の内部に向かって形成されている。プリズム１５０は、導光板１００の第２面１３０に沿って、１６０を中心とする円の端辺１７０で閉じられた底面１８０を有し、端辺１７０から導光板１００の内部に形成された頂点１９０に向かって、直径が徐々に減少する曲面２００が形成された円錐形状である。曲面２００は、底面１８０の径（点線）とのなす角度θで頂点１９０に向かって傾斜している。すなわち、底面１８０を中心１６０とする円とした場合の半径を点線で示すとき、その半径（直径）は底面１８０から頂点１９０に向かって徐々に減少する。
【００２１】
ここで、本願全編において、底面１８０の形状は、真円であってもよく、楕円若しくは任意の曲線からなる形状であってもよい。
【００２２】
（プリズム群の構成）
図１（ｃ）は、導光パネルに形成されたプリズム群を表した斜視図である。１４０は導光板１００に形成されたプリズム群であり、図１（ｂ）で説明したプリズム１５０が、互いに隣り合う他のプリズム１５０と接するか、若しくは互いに隣り合う他のプリズム１５０の一部分と重なって、複数並べられて形成されている。
【００２３】
図１（ａ）で説明した通り、プリズム群１４０が形成されることにより、ＬＥＤ素子１２０から照射された光は導光板１００の第１面１１０から導光板１００の内部に照射され、図１（ｃ）に実線の矢印または点線の矢印で示すように、鏡面反射光、拡散反射光となって、導光板１００の外部に射出される。
【００２４】
導光パネルをこのように構成することで、ＬＥＤ素子１２０から照射された光が反射する反射体としてのプリズム群１４０は、プリズム１５０の曲面２００が連続しているので、曲面２００で反射光が乱反射する度合いが強まる。また、乱反射した反射光が重なり合い、導光板１００の縦横方向に並んで見えていた光の強弱が生じにくくなり、輝度ムラが生じにくくなる。また、プリズム１５０同士の間隔を調節することで、配光制御も容易になり、配光制御性も高まる。
【００２５】
なお、本願のすべての実施形態において、実際にプリズム１５０が導光板１００に形成された後は、導光板１００の第２面１３０に形成されたプリズム１５０の底面１８０は必ずしも真円であるとは限らず、プリズム１５０の端辺１７０又は頂点１９０も明確に視認できない場合があってもよい。従って、プリズム群１４０、プリズム１５０、中心１６０、端辺１７０、底面１８０、頂点１９０、および曲面２００は、仮想的にその位置に存在するものとして説明される場合があるものとする。
【００２６】
また、本実施形態は、他のすべての実施形態において準用され得る。
【００２７】
（実施形態２、実施形態３）
図２は、本発明の実施形態２及び実施形態３に係る導光パネルを説明した図である。図２（ａ）は、プリズム群１４０の上面図である。図２（ｂ）は、プリズム１５０の斜視図である。
【００２８】
実施形態２として、図２（ａ）に示すように、それぞれのプリズム１５０の大きさまたは形状が互いに異なっていてもよく、また、大きさ及び形状同一のプリズム１５０と、大きさまたは形状が互いに異なるプリズム１５０とが混在していてもよい。実施形態３として、プリズム群１４０を構成するプリズム１５０は、本願全編を通して、すべて同じ大きさおよび形状で形成されていてもよい。
【００２９】
プリズム１５０は円錐の形状に形成することが可能であり、その場合、円錐の底面１８０、頂点１９０、底面１８０の中心１６０と端辺１７０までの半径をｒ、底面１８０の中心１６０と頂点１９０を結ぶ高さをｈ、円錐の斜辺ｚと底面１８０とのなす角度をθとして、これらのパラメータを随時調節することで、プリズム１５０の形状または大きさを調節することができる。
【００３０】
また、プリズム１５０の他の形状として、図２（ｃ）に示すような形状であってもよい。図２（ｃ）に示すプリズム１５０は、底面１８０の端辺１７０から頂点１９０まで延びる斜面が摺り鉢状の曲面であり、底面１８０の中心１６０から端辺１７０まで水平に延びた径と、その径と斜辺とが交差する点における微小辺とのなす角度をθとするとき、底面１８０から頂点１９０に向かうに従って、角度θが徐々に小さくなる。すなわち、図２（ｃ）において、θ１＞θ２＞θ３の関係を有する。
【００３１】
このようにプリズム１５０を構成することで、配光制御性を最適な状態に制御することができ、輝度ムラを少なくすることができる。
【００３２】
また、本実施形態は、他のすべての実施形態において準用され得る。
【００３３】
（実施形態４）
図３は、本発明の実施形態４に係る導光パネルを説明した図であり、図３（ａ）は、導光板１００を上面側である第２面１３０から見た上面図である。
【００３４】
図３（ａ）において、プリズム群１４０は複数のプリズム１５０で構成されており、導光板１００の第２面１３０に形成されたプリズム１５０の底面１８０は端辺１７０により円形に形成されており、それぞれのプリズム１５０の底面１８０の中心１６０が、１つの点線の直線Ａ上に並んで配列されている。プリズム群１４０をこのように構成することにより、プリズム１５０の押出し方向の中心の形状に変化がないため、プリズム群１４０の配光制御性を高めることができる。
【００３５】
図３（ｂ）は、図３（ａ）で説明したプリズム群１４０を斜め上側から見た斜視図であって、図２（ｃ）で説明したように、プリズム群１４０を構成するそれぞれのプリズム１５０は、底面１８０の端辺１７０から頂点１９０まで延びる斜面が摺り鉢状の曲面で形成されている。
【００３６】
図３（ｂ）では、互いに隣り合う３つのプリズム１５０が、それぞれの一部分が重なり合って形成されており、向かって左端のプリズム１５０Ａの一部分と真ん中のプリズム１５０Ｂの一部分とが互いに重なり合った部分Ｐは、導通している。また、真ん中のプリズム１５０Ｂの一部分と向かって右端のプリズム１５０Ｃの一部分とが互いに重なり合った部分Ｑも、導通している。
【００３７】
また、プリズム１５０Ａとプリズム１５０Ｂとが重なり合うことで形成される接線Ｒと、プリズム１５０Ｂとプリズム１５０Ｃとが重なり合うことで形成される接線Ｑとは、それぞれシャープに切り立っていてもよく、或いは、滑らかな曲面で形成されていてもよい。
【００３８】
この態様は、プリズム群１４０を構成するそれぞれのプリズム１５０が、図２（ｂ）で説明したように、円錐状の形状をしている場合も同様である。
【００３９】
これにより、図１（ａ）のＬＥＤ素子１２０から照射された光は、プリズム群１４０の複数の波状の曲面に当たって散乱し、その反射した場所による反射光の強弱の差が小さくなるため、単一のプリズムの場合よりも輝度ムラが軽減され、単一のプリズムの場合よりも反射光が集光されて光量が大きくなるため、配光制御性が高くなる。
【００４０】
なお、本実施形態は、他のすべての実施形態において準用され得る。
【００４１】
（実施形態５）
図４は、本発明の実施形態５に係る導光パネルを説明した図であり、導光板１００を上面側である第２面１３０から見た上面図である。
【００４２】
プリズム群１４０は複数のプリズム１５０で構成されており、導光板１００の第２面１３０に形成されたプリズム１５０の底面１８０は端辺１７０により円形に形成されており、それぞれのプリズム１５０の中心１６０が１つの点線の曲線Ｂ上に並んで配列されている。プリズム群１４０をこのように構成することにより、プリズム群１４０を３次元的に構成することができ、プリズム１５０を直線上に配列させる場合よりも、更に配光制御性を高めることができる。
【００４３】
なお、本実施形態は、他のすべての実施形態において準用され得る。
【００４４】
（実施形態６）
次に、図５は、本発明の実施形態６に係る導光パネルを説明した図である。図５は、導光板１００に形成されたプリズム群１４０を上面側である第２面１３０から見た上面図である。図５において、プリズム群１４０を構成する複数のプリズム１５０の導光板１００の第２面１３０に形成された底面１８０の形状が円形であって、プリズム群１４０の一端（左端）のプリズム１５０Ａの端辺１７０Ａから、互いに隣り合う複数のプリズム１５０の中心１６０を通って、プリズム群１４０の他端（右端）のプリズム１５０Ｂの端辺１７０Ｂに至るまでの最大長ガンマ（γ）が、プリズム群１４０を構成するプリズム１５０の直径デルタ（δ）の２倍より大きい。すなわち、γ＞２×δの関係を有することを示している。
【００４５】
この関係を満たしているときに、プリズム群１４０は、単一のプリズム１５０とするよりも配光制御性が高くなり、プリズムをプリズム群としたときの本来の能力を発揮することができる。
【００４６】
図６は、本発明の実施形態６に係る導光パネルの配光図と最大光度を計測した図である。
【００４７】
図６（ａ）は、γ＝δの場合の配光図であり、Ａ断面とＢ断面のデータが近似し、円錐プリズム１個の場合の配光図とほぼ同じものとなる。このときの最高光度は１８１ｃｄとなった。
【００４８】
図６（ｂ）は、γ＝１０×δの場合の配光図であり、図６（ａ）の場合より、Ａ断面とＢ断面の計測値の違いがより明確になり、このときの最高光度も２７０ｃｄと、図６（ａ）の場合より大きくなった。
【００４９】
図６（ｃ）は、γ／δと最大光度との関係を示した図である。図６（ｃ）の横軸はγ／δ、縦軸はγ＝１０×δの場合を１とした場合の最大光度であり、γ／δ＝２で充分な最大光度に達することが示された。
【００５０】
なお、本実施形態は、他のすべての実施形態において準用され得る。
【００５１】
（実施形態７）
次に、図７は、本発明の実施形態７に係る導光パネルを説明した図である。図７は、プリズム群１４０を構成する複数のプリズム１５０のうちの互いに隣り合うプリズム１５０Ｃとプリズム１５０Ｄに着目し、導光板１００に形成されたプリズム群１４０を上面側である第２面１３０から見た上面図である。
【００５２】
図７に示す実施形態７では、プリズム群１４０を構成する複数のプリズム１５０Ｃ及び１５０Ｄのそれぞれの底面１８０Ｃ及び１８０Ｄの形状が円形であって、底面１８０Ｃ及び１８０Ｄの直径をＬとする。このとき、底面１８０Ｃ及び１８０Ｄの中心１６０Ｃと１６０Ｄ間の距離Ｋは、直径Ｌの１／４よりも大きく、かつ、直径Ｌの１／２よりも小さい。すなわち、（１／４×Ｌ）＜Ｋ＜（１／２×Ｌ）の関係を満たす。
【００５３】
互いに隣り合う複数のプリズム１５０間の間隔Ｋが大きくなりすぎると、プリズム１５０の押出方向（底面１８０から頂点１９０の方向）の形状変化が大きくなりすぎ、配光制御性が低くなる。一方、間隔Ｋが小さくなりすぎると、輝度ムラを軽減する性能が減少してしまう。つまり、（１／４×Ｌ）＜Ｋ＜（１／２×Ｌ）の関係を満たすとき、輝度ムラを軽減する性能と配光制御性を最も高いレベルで両立することができる。
【００５４】
図８は、本発明の実施形態７に係る導光パネルの輝度ムラ軽減性と配光制御性を計測した図である。
【００５５】
図８（ａ）は、Ｋ／Ｌと最大光度の関係を示した図であり、横軸はＫ／Ｌ、縦軸はγ＝１０×δを１とした場合の最大光度である。図８（ａ）からわかるように、プリズム１５０の間隔Ｋが大きくなりすぎると、プリズム１５０の押出方向の形状変化が大きくなりすぎ、配向制御性が低くなる。このため、Ｋ／Ｌ＝０.６２５で急激に最大光度が低下しており、このことから、Ｋ＜（１／２×Ｌ）が適していることが示された。
【００５６】
図８（ｂ）は、Ｋ／Ｌと均斉度の関係を示した図であり、横軸はＫ／Ｌ、縦軸は入光端（第１面）から３０ｍｍのラインでの均斉度である。図８（ｂ）からわかるように、プリズム間隔Ｋが小さくなりすぎると、輝度ムラ軽減性が減少し、Ｋ／Ｌ＝０.２５で輝度ムラが０.５感じやすくなることを示している。このことから、（１／４×Ｌ）＜Ｋが適していることが示された。
【００５７】
すなわち、図８（ａ）と図８（ｂ）の実測値からも、（１／４×Ｌ）＜Ｋ＜（１／２×Ｌ）の関係を満たすとき、輝度ムラを軽減する性能と配光制御性を最も高いレベルで両立できることが示された。
【００５８】
なお、本実施形態は、他のすべての実施形態において準用され得る。
【００５９】
（実施形態８）
次に、図９は、本発明の実施形態８に係る導光パネルを説明した図である。図９において、点線Ｅは、導光板１００の第１面１１０と平行な線、又は、複数並んで設けられたＬＥＤ素子１２０の並び方向に平行な線、若しくは、白抜き矢印で示すように、ＬＥＤ素子１２０から第１面１１０を通して導光板１００の内部に照射された光の光軸方向と垂直な線であり、点線Ｆは、導光板１００の第１面１１０と垂直な線、又は、複数並んで設けられたＬＥＤ素子１２０の並び方向に垂直な線、若しくは、ＬＥＤ素子１２０から第１面１１０を通して導光板１００の内部に照射された光の光軸方向の線である。
【００６０】
プリズム群１４０が直線状に配列された複数のプリズム１５０から形成されているとき、プリズム群１４０の両端の、プリズム１５０Ａの底面１８０Ａの中心１６０Ａと、プリズム１５０Ｂの底面１８０Ｂの中心１６０Ｂとを結んだ点線Ｃは、上記した点線Ｅに対して角度αで傾斜している。或いは、プリズム群１４０の両端のプリズム１５０Ａとプリズム１５０Ｂとを結んだ点線Ｃは、上記した点線Ｆに対して角度（π／２−α）で傾斜しているともいえる。また、別言すれば、プリズム群１４０の両端のプリズム１５０Ａとプリズム１５０Ｂとを結んだ点線Ｃは、点線Ｅ及び点線Ｆのいずれとも平行でもないし、垂直でもない関係にあるといえる。
【００６１】
このように構成することで、角度αを適宜調節してプリズム群１４０を形成することができ、配光制御を容易にし、輝度ムラを減少させることができる。
【００６２】
次に、図１０は、本発明の実施形態８に係る導光パネルを説明した図である。前述した図９は、プリズム群１４０が、直線上に配列された複数のプリズム１５０によって形成されていた場合の例であったが、図１０は、プリズム群１４０が、曲線上に配列された複数のプリズム１５０によって形成されている場合の例である。
【００６３】
図１０において、点線Ｅ、点線Ｆの定義は図９と同じである。このとき、プリズム群１４０の両端の、プリズム１５０Ｃの底面１８０Ｃの中心１６０Ｃと、プリズム１５０Ｄの底面１８０Ｄの中心１６０Ｄとを結んだ点線Ｃは、上記した点線Ｅに対してβの角度で傾斜している。或いは、プリズム群１４０の両端のプリズム１５０Ｃとプリズム１５０Ｄとを結んだ点線Ｃは、上記した点線Ｆに対して（π／２−β）の角度で傾斜しているともいえる。また、別言すれば、プリズム群１４０の両端のプリズム１５０Ｃとプリズム１５０Ｄとを結んだ点線Ｃは、点線Ｅ及び点線Ｆのいずれとも平行でもないし、垂直でもない関係にあるといえる。
【００６４】
このように構成することで、角度βを適宜調節してプリズム群１４０を形成することができ、更に配光制御を容易にし、輝度ムラを減少させることができる。
【００６５】
なお、本実施形態は、他のすべての実施形態において準用され得る。
【００６６】
（実施形態９）
次に、図１１は、本発明の実施形態９に係る導光パネルを説明した図であり、導光パネル１００を上側から見た模式図である。図１１に示す実施形態９は、図１１（ａ）に示すように、導光板１００の第１面１１０を凹凸面、若しくは、凹凸面の一種としての波面とし、プリズム群１４０を構成する複数のプリズム１５０のそれぞれの中心１６０を結んだ線が、第１面１１０と相対するＬＥＤ素子１２０から導光板１００へ照射される光の光軸と垂直である。若しくは、図９又は図１０で示す点線Ｅと平行である。
【００６７】
図１１（ｂ）は、導光パネル１００を上側から見た模式図である。図１１（ｂ）に示すように、導光板１００の第１面１１０を平板とした場合、ＬＥＤ素子１２０から白抜き矢印で示される光を導光板１００の第１面１１０から導光板１００の内部に入射すると、２つの矢印の内側の範囲へは光が入射するが、２つの矢印の外側の網線で示された領域には、スネルの法則により、光が入射しない。
【００６８】
図１１（ｃ）は、導光パネル１００を上側から見た模式図である。実施形態９では、図１１（ｃ）に示すように、導光板１００の第１面１１０を凹凸のあるギザギザ面とすることを提案する。図１１（ｄ）は、図１１（ｃ）の第１面１１０を斜め上から見た斜視図である。このように第１面１１０を形成することで、図１１（ｅ）に示すように、図１１（ｂ）で説明した場合よりも、ＬＥＤ素子１２０から射出された光が導光板１００内で到達できない網目で示した範囲が大幅に縮小される。
【００６９】
また、このとき、併せて、図１１（ａ）で示したプリズム群１４０の並び方向は、ＬＥＤ素子１２０の並び方向または図９又は図１０で示す点線Ｅと平行である。これを、先述した図９及び図１０を用いて説明すると、図９及び図１０において、プリズム群１４０の角度α、βは０である。すなわち、図９及び図１０において、プリズム群１４０の両端のプリズム１５０の底面１８０の中心１６０同士を結んだ線は、導光板１００の第１面１１０と平行な線、又は、複数並んで設けられたＬＥＤ素子１２０の並び方向と平行である。別言すれば、ＬＥＤ素子１２０から第１面１１０を通して導光板１００の内部に照射された光の光軸方向と垂直である。
【００７０】
このように、プリズム群１４０の並び方向をＬＥＤ素子１２０の並び方向と平行とする発明と、導光板１００におけるＬＥＤ素子１２０からの光が入射する第１面１１０の形状を凹凸面とする発明とを組み合わせることにより、ＬＥＤ素子１２０から導光板１００に入射した光の光軸方向と垂直な方向に、広角の配光制御を行うことができる。
【００７１】
なお、他の例として、図１１（ｆ）に示すように、導光板１００の第１面１１０の形状を波面とすることもできる。図１１（ｇ）は、導光板１００の第１面１１０の形状を波面とした場合の斜視図である。
【００７２】
この場合も、図１１（ｃ）で説明した場合と同様、若しくは更に広角の配光制御を滑らかに行うことが可能となる。
【００７３】
なお、本実施形態は、他のすべての実施形態において準用され得る。
【符号の説明】
【００７４】
１００  導光板、１１０  第１面、１２０  ＬＥＤ素子、１３０  第２面、１４０  プリズム群、１５０  プリズム、１６０  中心、１７０  端辺、１８０  底面、１９０  頂点、２００  曲面。
【図１】
2019135700.tif 000003
【図２】
2019135700.tif 000004
【図３】
2019135700.tif 000005
【図４】
2019135700.tif 000006
【図５】
2019135700.tif 000007
【図６】
2019135700.tif 000008
【図７】
2019135700.tif 000009
【図８】
2019135700.tif 000010
【図９】
2019135700.tif 000011
【図１０】
2019135700.tif 000012
【図１１】
2019135700.tif 000013
【図１２】
2019135700.tif 000014